(57)【要約】【課題】  本発明は、液晶表示装置の複数の表示部の境目箇所を仕切り壁部によって立体的に設けることによって奥行き感を醸し出しながら質感を高めることができる液晶表示装置を提供することを目的とする。【解決手段】  前面パネル（表示板２）の表面側あるいは表示板２と液晶表示素子５との間に透視可能な合成樹脂製の保護フィルタ６を介在するとともに、保護フィルタ６には、表示板２に設けられた仕切り部２ｂによって区画される液晶表示素子５の各表示部領域の間に表示板２の表面側へと突出する帯状の仕切り壁部６ａを設け、回路基板３には、仕切り壁部６ａへと光を導く光源４を設け、ケース１には、仕切り壁部６ａを透過照明するための光源４の光を仕切り壁部６ａへと導くライトガイド部１ａを設けてなることを特徴とする液晶表示装置である。【選択図】  図３
2010134423.tif 000002
【特許請求の範囲】
【請求項１】
複数の表示部を有する液晶表示素子と、この液晶表示素子を保持し複数の前記表示部の領域を区画するライトガイド部が設けられたケースと、このケースの背後側に配置され前記液晶表示素子の表示部を透過照明する光源と、この光源を実装する回路基板と、前記液晶表示素子の前面側に設けられ前記複数の表示部の領域を仕切り部によってそれぞれ視認可能に区画する表示窓部を設けた前面パネルと、からなる液晶表示装置において、前記前面パネルの表面側あるいは前記前面パネルと前記液晶表示素子との間に透視可能な合成樹脂製の保護フィルタが介在されるとともに、この保護フィルタには、前記仕切り部によって区画される前記液晶表示素子の各表示部領域の間に沿って前記パネルの表面側へと突出する帯状の仕切り壁部を設け、前記回路基板には、前記仕切り壁部へと光を導光するための光源を設け、前記ケースには、前記仕切り壁部を透過照明するための前記光源の光を前記仕切り壁部へと導くためのライトガイド部を設けてなることを特徴とする液晶表示装置。
【請求項２】
前記保護フィルタの表面を凹面状からなる円弧面として形成してなることを特徴とする請求項１に記載の液晶表示装置。
【請求項３】
前記保護フィルタを着色して成形してなることを特徴とする請求項１または請求項２に記載の液晶表示装置。
【発明の詳細な説明】
【技術分野】
【０００１】
本発明は、液晶表示装置に関するものであり、特に、光源（ＬＥＤ）からの照射光線により液晶表示素子の背後から透過照明表示する液晶表示装置に関するものである。
【背景技術】
【０００２】
この種の液晶表示装置として、たとえば自動車やオートバイをはじめとする各種車両や船舶、建設機械などに搭載される計器装置に組み込まれている。この場合、下記特許文献１などに開示されているように、車両情報などを表示する周知な指針式の計器装置および車両情報を表示するフラットディスプレイパネルとなる液晶表示素子を用いた液晶表示装置による計器装置が併設して設けられている。
【０００３】
従来の計器装置を図８および図９を用いて説明する。たとえば自動車に搭載されるコンビネーションメータである計器装置としては、外装部材であるケース１の内部の中央に速度計などの情報を表示する周知な指針式の計器からなるアナログ式の指示計器Ｍ１が収納され、この指示計器Ｍ１の前面側に表示板２が取付固定されている。またケース１の内部には、左側に前記速度計と同様にして指針式の計器からなるアナログ式のエンジン回転計（指示計器Ｍ１）が収納されている。また右側には、車両情報である燃料量を表示する燃料計やエンジンの水温を表示する水温計などが液晶表示装置Ｍ２が配置されている。また、アナログ式の指示計器Ｍ１や液晶表示装置Ｍ２などのそれぞれの計器装置は硬質の回路基板３と電気的に接続されるように設けられている。
【０００４】
この場合、液晶表示装置Ｍ２にあっては、燃料計やエンジンの水温を表示する水温計などの表示部の領域に合わせて前面側のパネルである表示板２に設けたそれぞれの表示窓部２ａを介して視認することができるように構成されている。
【０００５】
また液晶表示装置Ｍ２は、ケース１あるいはケース１とは別体に設けられた樹脂製のケース１によって固定保持するように設けられており、このケース１の背後側から前記回路基板３を組み付け固定するように構成している。また回路基板３の表面上には指示計器Ｍ１や液晶表示装置Ｍ２を照明表示するための発光ダイオードからなる光源４が実装されている。
【０００６】
また中央に位置した速度計（スピードメータ）の指示計器Ｍ１の下部側に走行距離計（ＯＤＯ，ＴＲＩＰ）からなる車両情報を表示するフラットディスプレイパネルとなる液晶表示素子５を用いた液晶表示装置Ｍ２が配置されるとともに、その下側に、デジタル表示による時計によって時刻表示を行うフラットディスプレイパネルとなる液晶表示素子５を用いた液晶表示装置Ｍ２が配置されている。
【０００７】
この場合、走行距離計（ＯＤＯ，ＴＲＩＰ）や時計などの液晶表示装置Ｍ２にあっては、前述した燃料計やエンジンの水温を表示する水温計などの液晶表示装置Ｍ２と同様にして、表示板２に設けた切り欠き窓部や透視窓部などからなる表示窓部２Ａを介して視認することができるように構成されている。
【０００８】
ところで、従来の液晶表示装置Ｍ２にあっては、燃料計と水温計を例にして説明すると、液晶表示素子５の表示部箇所を見やすくするために、且つ組み付ける部品点数を削減するために燃料計と水温計とを一枚の基板からなる液晶表示基板によって形成している。この場合、液晶表示基板である液晶表示素子５の表示面には車両の燃料タンク内の燃料量を示す文字表示（ＦＵＬＬ、ＥＭＰＴＹの頭文字）や目盛などの指標部５ａがそれぞれ電極として形成されるとともに、この指標部５ａと併設して燃料残量をアナログ的に表示することができるようにバーグラフ表示部５ｂがセグメントとして電極にて形成されている。従って、燃料量を確認する場合は、文字や目盛からなる指標部５Ａに対応して指示するバーグラフ表示部５ｂによるセグメント箇所が燃料量に応じて光源４からの照射光線によって透過照明される。これにより、燃料残量を容易に判別することができるというメリットがある。
【０００９】
また燃料計とほぼ同様にして水温計にあっては、一枚基板からなる液晶表示素子５の表示面にエンジンの水温が正常化か否かを判別するために水温が高いか低いのかを示す文字表示（ＨＯＴ、ＣＯＯＬの頭文字）や目盛などの指標部５Ａがそれぞれ電極として形成されるとともに、この指標部５ａと併設して水温の高低をアナログ的に表示することができるようにバーグラフ表示部５ｂがセグメントとして電極にて形成されている。これにより水温が高いか否かを確認する場合は、指標部５ａに対応して指示するバーグラフ表示部５ｂによるセグメント箇所が光源４からの照射光線によって透過照明されるため、エンジンの水温を容易に判別することができる。
【特許文献１】特開平１１−１０８７００号公報
【特許文献１】特開２００７−６４８０６号公報
【発明の開示】
【発明が解決しようとする課題】
【００１０】
ところで、多様化する市場ニーズなどにより、高級感を持たせるために外観意匠を重視する傾向にあるが、従来の一般的な計器装置においては、前述した従来例や前記特許文献１などに示されているように、液晶表示素子５の表示面に設けられた表示部としては、燃料計や水温計などにあっては指標部５ａとバーグラフ表示部５ｂとが併設状態にして平面的に形成されている。このため、表示板２に設けた表示窓部２ａの背後に形成された液晶表示素子５の表示部である指標部５ａとバーグラフ表示部５ｂとが同一平面上に形成されているために、奥行き感や立体感の表示が得られず計器装置として組み込まれる液晶表示装置Ｍ２の質感を高めることができないという問題を抱えている。この際、液晶表示素子５には燃料計と水温計とが一枚の基板からなる液晶表示基板によって並んで設けられており、特に、燃料計と水温計とによる二つの表示部材との境目としては表示板２に設けたそれぞれの表示窓部２ａ領域を区画する仕切り部２ｂによって区分けして視認することができるようにしているが、その境界部分が平面的であり、目立つことがないために見映えもよいとは言えない状況にある。
【００１１】
本発明は前述した問題点に着目し、液晶表示装置の複数の表示部の境目箇所を仕切り壁によって立体的に設けることによって奥行き感を醸し出しながら質感を高めることができる液晶表示装置を提供することを目的とする。
【課題を解決するための手段】
【００１２】
本発明は前述した課題を解決するため、請求項１では、複数の表示部を有する液晶表示素子と、この液晶表示素子を保持し複数の前記表示部の領域を区画するライトガイド部が設けられたケースと、このケースの背後側に配置され前記液晶表示素子の表示部を透過照明する光源と、この光源を実装する回路基板と、前記液晶表示素子の前面側に設けられ前記複数の表示部の領域を仕切り部によってそれぞれ視認可能に区画する表示窓部を設けた前面パネルと、からなる液晶表示装置において、前記前面パネルの表面側あるいは前記前面パネルと前記液晶表示素子との間に透視可能な合成樹脂製の保護フィルタが介在されるとともに、この保護フィルタには、前記仕切り部によって区画される前記液晶表示素子の各表示部領域の間に沿って前記前面パネルの表面側へと突出する帯状の仕切り壁部を設け、前記回路基板には、前記仕切り壁部へと光を導光するための光源を設け、前記ケースには、前記仕切り壁部を透過照明するための前記光源の光を前記仕切り壁部へと導くためのライトガイド部を設けてなることを特徴とする液晶表示装置である。
【００１３】
このように構成することにより、前面パネルの表面側あるいは前記前面パネルと前記液晶表示素子との間に透視可能な合成樹脂製の保護フィルタを介在することにより液晶表示素子である液晶表示基板を保護することができるとともに、保護フィルタから一体的に液晶表示素子に設けられた複数の表示部の領域を帯状に区分けして前面パネルの表面側へと突出する仕切り壁部を設けることにより、複数の表示部の領域を仕切り壁部によって奥行き感や立体感が得られるものとなり、液晶表示装置の質感も高めることができる。また光源による照明時においては、保護フィルタに設けられた帯状に突出する仕切り壁部が透過照明されるため、液晶表示素子に設けられた複数の表示部の領域の境目箇所を強調することができる。
【００１４】
また、請求項１に記載の液晶表示装置において、請求項２では、前記保護フィルタの表面を凹面状からなる円弧面として形成してなることを特徴とするものである。
【００１５】
このように構成することにより、外来から入射する光線が反射したとしても運転者の視線方向に反射導光される光線を保護フィルタの表面を凹面状からなる円弧面に形成することによって視線方向以外に導くことが可能となり、幻惑されることなく見やすい液晶表示装置を提供することができる。
【００１６】
また、請求項１または請求項２に記載の液晶表示装置において、請求項３では、前記保護フィルタを着色して成形してなることを特徴とするものである。
【００１７】
このように構成することにより、保護フィルタを介して透過される液晶表示素子の表示部の色合いと保護フィルタに設けられた帯状に突出する仕切り壁部の色合いとが、保護フィルタの肉厚寸法の違いによってその色合いが濃淡表示されるため見映えも良好となり仕切り箇所も目立つものとなり、仕切り壁部によって奥行き感や立体感をさらに強調することが可能となる。また光源による照明時においては、着色した色合いにて表示することによって奥行き感が助長され、しかも照明効果も良好に保つことが可能となり、視認性に優れ且つ斬新な見映えの液晶表示装置を提供することができる。
【発明の効果】
【００１８】
本発明では、複数の表示部を有する液晶表示素子と、この液晶表示素子を保持し複数の前記表示部の領域を区画するライトガイド部が設けられたケースと、このケースの背後側に配置され前記液晶表示素子の表示部を透過照明する光源と、この光源を実装する回路基板と、前記液晶表示素子の前面側に設けられ前記複数の表示部の領域を区画する仕切り部を設けた前面パネルと、からなる液晶表示装置において、前記前面パネルの表面側あるいは前記前面パネルと前記液晶表示素子との間に透視可能な合成樹脂製の保護フィルタが介在されるとともに、この保護フィルタには、前記仕切り部によって区画される前記液晶表示素子の各表示部領域の間に沿って前記パネルの表面側へと突出する帯状の仕切り壁部を設け、前記回路基板には、前記仕切り壁部へと光を導光するための光源を設け、前記ケースには、前記仕切り壁部を透過照明するための前記光源の光を前記仕切り壁部へと導くためのライトガイド部を設けてなることを特徴とする液晶表示装置であるため、前面パネルの表面側あるいは前記前面パネルと前記液晶表示素子との間に透視可能な合成樹脂製の保護フィルタを介在することにより液晶表示素子である液晶表示基板を保護することができ、保護フィルタから一体的に液晶表示素子に設けられた複数の表示部の領域を帯状に区分けして前面パネルの表面側へと突出する仕切り壁部を設けることにより、複数の表示部の領域を仕切り壁部によって奥行き感や立体感が得られ、液晶表示装置の質感も高めることができる。また光源による照明時においては、保護フィルタに設けられた帯状に突出する仕切り壁部が透過照明されるため、複数の表示部の領域の境目を強調することができる。
【図面の簡単な説明】
【００１９】
【図１】図１は、本発明の第１の実施形態である液晶表示装置を示す正面図。
【図２】図２は、図１のＡ−Ａ線箇所を示す液晶表示装置の断面図。
【図３】図３は、図２の要部を示す拡大断面図。
【図４】図４は、図１におけるＢ−Ｂ線箇所を示す要部の断面図。
【図５】図５は、図４の要部を示す拡大断面図。
【図６】図６は、本発明の第２の実施形態である液晶表示装置を示す断面図。
【図７】図７は、図６のＣ−Ｃ線箇所を示す要部の断面図。
【図８】図８は、従来の車両用計器に搭載された液晶表示装置を示す正面図。
【図９】図９は、図８における表示板と液晶表示装置とを示す要部の断面図。
【発明を実施するための最良の形態】
【００２０】
以下、添付図面に基づいて、本発明を車両用の液晶表示装置に適用した実施形態に基づいて説明する。
【００２１】
図１から図５は本発明の第１の実施形態を示すもので、図１は車両用計器に搭載される液晶表示装置を示す正面図、図２は図１のＡ−Ａ線箇所を示す要部の断面図、図３は図２の要部を示す拡大断面図、図４は図１におけるＢ−Ｂ線箇所を示す要部の断面図、図５は図４の要部を示す拡大断面図であり、前述した従来例と同一部分、均等箇所については同一符号を付して説明する。
【００２２】
同図において、外装部材であるケース１の内部の中央に速度計などの情報を表示する指針式の計器からなるアナログ式の指示計器Ｍ１が収納固定され、この指示計器Ｍ１の前面側には指示計器Ｍ１に設けられた指針の指示を指し示す目盛や数字などの表示部を施した表示板２が取付固定されている。この場合、第１の実施形態にあっては、ケース１の内部には、中央部に速度計であるアナログ式の指示計器Ｍ１が配置され、左側にはエンジン回転計であるアナログ式の指示計器Ｍ１が配置されている。また右側には液晶表示装置Ｍ２による燃料計と水温計とがそれぞれ配置されている。
【００２３】
また、アナログ式の指示計器Ｍ１や液晶表示装置Ｍ２などのそれぞれの計器装置は硬質の回路基板３と電気的に接続されるように設けられている。また回路基板３の表面上には指示計器Ｍ１や液晶表示装置Ｍ２を透過照明表示するための発光ダイオードからなる光源４が実装されており、この光源４からの照射光線を指示計器Ｍ１や液晶表示装置Ｍ２へと導き入れるために合成樹脂製からなるケース１と一体にライトガイド部１ａが設けられている。
【００２４】
この場合、フラットディスプレイパネルとなる液晶表示素子５を用いた液晶表示装置Ｍ２にあっては、従来構造と同様にして燃料計やエンジンの水温を表示する水温計などの表示部の領域に合わせて前面側のパネルである表示板２に設けたそれぞれの表示窓部２ａを介して視認することができるように構成されている。
【００２５】
なお、燃料計と水温計とによる二つの表示部領域との境目としては表示板２に設けたそれぞれの表示窓部２ａ領域を区画する仕切り部２ｂによって区分けして視認することができるように設けられている。
【００２６】
また従来構造と同様にして液晶表示装置Ｍ２にあっては、燃料計と水温計を例にして説明すると、燃料計と水温計とを一枚の基板からなる液晶表示基板によって形成することにより、表示部箇所の表示領域を広げることができ、表示部の大きさを大きく設定することによって表示部箇所が見やすくなるものであり、且つ組み付ける部品点数を削減するために燃料計と水温計とを一枚の基板からなる液晶表示基板によって形成している。この際、液晶表示基板である液晶表示素子５の表示面には車両の燃料タンク内の燃料量を示す文字表示（ＦＵＬＬ、ＥＭＰＴＹの頭文字）や目盛などの指標部５ａがそれぞれ電極として形成されるとともに、この指標部５ａと併設して燃料残量をアナログ的に表示することができるようにバーグラフ表示部５ｂがセグメントとして電極にて形成されている。
【００２７】
従って、燃料量の液量を確認する場合は、文字や目盛からなる指標部５ａに対応して指示するバーグラフ表示部５ｂによるセグメント箇所が燃料量に応じて反射により判読したり、たとえば夜間などにおいては光源４からの照射光線によってセグメント箇所が透過照明される。
【００２８】
また燃料計と同一基板からなる水温計にあっては、液晶表示素子５の表示面にエンジンの水温が正常化か否かを判別するために水温が高いか低いのかを示す文字表示（ＨＯＴ、ＣＯＯＬの頭文字）や目盛などの指標部５ａがそれぞれ電極として形成されるとともに、この指標部５ａと併設して水温の高低をアナログ的に表示することができるようにバーグラフ表示部５ｂがセグメントとして電極にて形成されている。
【００２９】
これにより水温が高いか否かを確認する場合は、燃料計と同様にして指標部５ａに対応して指示するバーグラフ表示部５ｂによるセグメント箇所が光源４からの照射光線によって透過照明されるため、エンジンの水温を容易に判別することができる。
【００３０】
ところで、この燃料計と水温計とからなる液晶表示装置の第１の実施形態にあっては、表示板２に設けられた表示窓部２ａ位置に対応して配置される各液晶表示装置Ｍ２は、図２や図３に示すように、液晶表示素子５の前面側、すなわち前面パネルである表示板２と液晶表示素子５との間に透視可能な合成樹脂製の保護フィルタ６が配設されている。この保護フィルタ６には、表示板２に設けられた仕切り部２ｂによって区画される液晶表示素子５の各表示部領域の間に沿って前面パネルである表示板２の表面側へと突出する帯状の仕切り壁部６ａが設けられている。
【００３１】
また回路基板３には、保護フィルタ６に設けられた帯状に突出する仕切り壁部６ａへと光を導光するための光源４が設けられている。この際、光源４からの照射光線を突状の仕切り壁部６ａへ導くために、ケース１から一体的に、仕切り壁部６ａの形状に倣うように略四角形状の枠体からなるライトガイド部１ａが設けられている。
【００３２】
なお、この実施形態にあっては、仕切り部２ｂによって区分けされた燃料計の表示窓部２ａと水温計の表示窓部２ａとのそれぞれの縁部には、その仕切り部２ｂ側に沿って帯状に突出した仕切り壁部６ａが設けられるため、二つの帯状の仕切り壁部６ａが表示板２の仕切り部２ｂに沿って形成されている。
【００３３】
また中央に位置した速度計（スピードメータ）の指示計器Ｍ１の下部側には、図１に示すように走行距離計（ＯＤＯ，ＴＲＩＰ）からなる車両情報を表示するフラットディスプレイパネルとなる液晶表示素子５を用いた液晶表示装置Ｍ２が配置されるとともに、その下側に、デジタル表示による時計によって時刻表示を行う液晶表示装置Ｍ２が一枚基板からなる液晶表示素子５によって形成されている。
【００３４】
また走行距離計と時計とからなる液晶表示装置の第１の実施形態の変形例にあっては、図４や図５に示すように走行距離計と時計とによる二つの表示部材との境目としては表示板２に設けたそれぞれの表示窓部２ａ領域を区画する仕切り部２ｂによって区分けして視認することができるように設けられるとともに、仕切り部２ｂ箇所には、その長手方向に沿ってスリット状の開口部２ｃが設けられている。
【００３５】
また液晶表示素子５の前面側、すなわち前面パネルである表示板２と液晶表示素子５との間に透視可能な合成樹脂製の保護フィルタ６が配設されている。この保護フィルタ６には、表示板２に設けられた仕切り部２ｂ箇所のスリット状開口部２ｃから前面パネルである表示板２の表面側へと突出する帯状の仕切り壁部６ａが設けられている。
【００３６】
また、透視可能な合成樹脂製の保護フィルタ６は、たとえがオレンジ色からなる色素（顔料）を保護フィルタ６に含有することによって保護フィルタ６全体を着色形成するようにしている。
【００３７】
また回路基板３には、保護フィルタ６に設けられた帯状に突出する仕切り壁部６ａへと光を導光するための光源４が設けられ、この光源４からの照射光線を突状の仕切り壁部６ａへ導くために、ケース１から一体的に、仕切り壁部６ａの形状に倣うように略四角形状の枠体からなるライトガイド部１ａが設けられている。なお、回路基板３の背後側には回路基板３を覆うアンダーカバー１１が設けられている。
【００３８】
このように構成された第１の実施形態における液晶表示装置Ｍ２にあっては、液晶表示素子５の表面側に透視可能な合成樹脂製の保護フィルタ６を介在することにより、液晶表示素子５である液晶表示基板（２枚合わせのガラス基板）を保護することができるものであり、第１の実施形態である燃料計と水温計とからなる液晶表示装置Ｍ２（液晶表示素子５）の表面側に設けられた保護フィルタ６には、表示板２に設けられた仕切り部２によって区画される液晶表示素子５の各表示部領域を視認するための表示窓部５ａの縁部に沿って表示板２の表面側へと突出する帯状の仕切り壁部６ａが縦方向（図１参照）に設けられることによって、奥行き感や立体感が得られるものとなり、液晶表示装置Ｍ２の質感も高めることができる。
【００３９】
また光源４による照明時においては、保護フィルタ６に設けられた帯状に突出する仕切り壁部６ａが透過照明されるため、液晶表示素子５に設けられた複数の表示部の領域の境目箇所を強調することができるものであり、斬新な見映え提供することができる。
【００４０】
この際、保護フィルタ６に設けられた帯状に突出する仕切り壁部６ａへと光を導光するための光源４として、たとえば、白色を含む任意の色を発光自在とするマルチカラー発光ダイオード（三原色の発光ダイオード）を設けることにより、たとえば燃料計の液量が所定値以下となった場合に、照明色をたとえば赤色などに切り換えることによって液量が少なくなってきたことを知らせることができるものであり、また水温計のバーグラフ表示に加えて所定の水温以上となった場合、たとえば白色照明色から赤色の照明色に切り換えて仕切り壁部６ａ箇所を点滅表示させることによって運転者に知らせることができる。
【００４１】
また第１の実施形態の変形例である走行距離計と時計とからなる液晶表示装置Ｍ２にあっては、前述した作用効果に加え、保護フィルタ６をたとえばオレンジ色に着色して成形してなることにより、保護フィルタ６を介して透過される液晶表示素子５の表示部の色合いであるオレンジ色と保護フィルタ６に設けられた帯状に突出する仕切り壁部６ａの色合いであるオレンジ色とが、保護フィルタ６の肉厚寸法の違いによってその色合いであるオレンジ色が濃淡表示されるため見映えも良好となり仕切り箇所も目立つものとなり、仕切り壁部６ａによって奥行き感や立体感をさらに強調することが可能となる。また光源４による照明時においては、着色したオレンジ色による色合いにて表示することによって奥行き感が助長され、しかも照明効果も良好に保つことが可能となり、視認性に優れ且つ斬新な見映えの液晶表示装置Ｍ２を提供することができる。
【００４２】
図６および図７は、本発明の第２の実施形態を示すものであり、図６は、本発明の第２の実施形態の液晶表示装置を示す要部の平面図、図７は図６における表示板と保護フィルタと液晶表示装置とを示す要部の断面図である。
【００４３】
この第２の実施形態にあっては、表示板２に設けられた表示窓部２ａ位置に対応して液晶表示装置Ｍ２が配置されるとともに、図６および図７に示すように、表示板２の前面側に保護フィルタ６が配設されている。
【００４４】
液晶表示素子５には、指標部５ａやバーグラフ表示部５ｂあるいは７セグメントからなる数字５ｃによる表示部材が設けられ、その複数の表示部材との境目としては表示板２に設けたそれぞれの表示窓部２ａ領域を区画する仕切り部２ｂによって区分けして視認することができるように設けられるとともに、仕切り部２ｂ箇所には、その長手方向に沿ってスリット状の開口部２ｃが設けられている。
【００４５】
また保護フィルタ６の表面を凹面状からなる円弧面Ｒとして形成するととともに、その保護フィルタ６には、表示板２に設けられたスリット状の開口部２ｃの真上に位置して帯状に突出した仕切り壁部６ａが一体に成形されている。
【００４６】
なお、透視可能な合成樹脂製の保護フィルタ６は、たとえが青色からなる色素（顔料）を保護フィルタ６に含有することによって保護フィルタ６全体を着色形成するようにしている。
【００４７】
また回路基板３には、保護フィルタ６に設けられた帯状に突出する仕切り壁部６ａへと光を導光するための光源４が実装されている。この際、光源４からの照射光線を突状の仕切り壁部６ａへ導くために、ケース１から一体的に、仕切り壁部６ａの形状に倣うように略四角形状の枠体からなるライトガイド部１ａが設けられている。
【００４８】
このように構成された第２の実施形態における液晶表示装置Ｍ２にあっては、液晶表示素子５の前面側に配設された表示板２の表面側に透視可能な合成樹脂製の保護フィルタ６を介在することにより、液晶表示素子５である液晶表示基板（２枚合わせのガラス基板）を保護することができ、保護フィルタ６から一体的に液晶表示素子５に設けられた複数の表示部の領域を帯状に区分けして前面パネルである表示板２の表面側へと突出する仕切り壁部６ａを設けることにより、複数の表示部の領域を仕切り壁部６ａによって奥行き感や立体感が得られ、液晶表示装置Ｍ２の質感も高めることができる。
【００４９】
また保護フィルタ６をたとえば青色に着色して成形してなることにより、保護フィルタ６を介して透過される液晶表示素子５の表示部の色合いである青色と保護フィルタ６に設けられた帯状に突出する仕切り壁部６ａの色合いである青色とが、保護フィルタ６の肉厚寸法の違いによってその色合いである青色が濃淡表示されるため見映えも良好となり仕切り箇所も目立つものとなり、仕切り壁部６ａによって奥行き感や立体感をさらに強調することが可能となる。また光源４による照明時においては、着色した青色による色合いにて表示することによって奥行き感が助長され、しかも照明効果も良好に保つことが可能となり、視認性に優れ且つ斬新な見映えの液晶表示装置Ｍ２を提供することができる。
【００５０】
また、外来から入射する光線が保護フィルタ６の表面にて反射したとしても、運転者の視線方向に反射導光される光線が保護フィルタ６の表面に設けた凹面状からなる円弧面Ｒによって視線方向以外に導くことが可能となり、幻惑されることなく見やすい液晶表示装置Ｍ２を提供することができる。
【００５１】
本発明は、前述した実施例に限定されるものではなく本発明の要旨の範囲内において種々の変形実施が可能である。たとえば、第１および第２の実施形態においては、液晶表示素子５の前面側に設けられ複数の表示部の領域を区画する仕切り部２ｂを設けた前面パネルとして表示板２を例にしていたが、表示板２の前面側に配設される見返し板による前面パネルに液晶表示装置Ｍ２の仕切り部を形成しても良いものであり、また保護フィルタ６から一体的に液晶表示素子５に設けられた複数の表示部の領域を帯状に区分けして前面パネルである表示板２や見返し板の表面側へと突出する仕切り壁部６ａを連続した帯状に形成していたが、断続的な壁部を帯状に並べてなる仕切り壁部６ａとしても良いものであり、また帯状の仕切り壁部６ａの高さ寸法や幅寸法は任意に設定すれば良いものである。また仕切り壁部６ａへと光源４からの照射光線を導き入れるために保護フィルタ６に反射面を形成して案内導光するようにしても良いものである。また仕切り壁部６ａの表面部分に粗面加工を施すことにより光源４からの光線を乱反射させて光輝するようにして良い。
【００５２】
なお、第１の実施形態においては、液晶表示装置Ｍによる燃料計と水温計との間に設けた仕切り壁部６ａの照明色を切り換えて警告表示することを例にして説明したが、走行距離計と時計とからなる液晶表示装置Ｍ２の境目箇所に設けた仕切り壁部６ａの照明色を切り換えて点滅表示するように構成することにより、たとえば所定の速度以上に走行した際の速度警報装置として適用することも可能である。
【符号の説明】
【００５３】
１    ケース（外装部材）
１ａ    ライトガイド部
２    表示板
２ａ    表示窓部
２ｂ    仕切り部
２ｃ    開口部
３    回路基板
４    光源（発光ダイオード）
５    液晶表示素子
５ａ    指標部
５ｂ    バーグラフ表示部
６    保護フィルタ
６ａ    仕切り壁部
Ｄ１，Ｄ２    表示部材
Ｍ１    指示計器
Ｍ２    液晶表示装置
Ｒ    円弧面
【図１】
2010134423.tif 000003
【図２】
2010134423.tif 000004
【図３】
2010134423.tif 000005
【図４】
2010134423.tif 000006
【図５】
2010134423.tif 000007
【図６】
2010134423.tif 000008
【図７】
2010134423.tif 000009
【図８】
2010134423.tif 000010
【図９】
2010134423.tif 000011